(57)【特許請求の範囲】
【請求項１】
水栓のケースを被取付体に固定した筒状の台座部材に嵌合した状態で、該台座部材を介して該被取付体に固定する水栓の取付構造であって、
前記台座部材における前記ケースとの嵌合部の上部を所定周長に亘り切り欠いて、該切欠部の両端面を軸方向に所定長さで延びる支持面となす一方、該ケースの内面には一対の該支持面に対応する位置において該支持面に当接し支持される被支持面を軸方向に延設し、且つ該台座部材に嵌合させた該ケースを軸方向に抜け止めする抜止手段を設けたことを特徴とする水栓の取付構造。
【請求項２】
請求項１において、前記ケースが吐水口の設けてある吐水部のケースであることを特徴とする水栓の取付構造。
【請求項３】
請求項２において、前記吐水部が人体検知センサの設けられた自動水栓の吐水部であることを特徴とする水栓の取付構造。
【請求項４】
請求項１〜３の何れかにおいて、前記抜止手段が、前記台座部材の嵌合部の外周面に沿って周方向に形成された係合溝と、前記ケースの嵌合部に設けられた貫通の、抜止クリップの嵌込開口を兼ねた係合凹部と、該係合凹部を通じて且つ該係合凹部と前記係合溝とに跨って軸直角方向に弾性的に嵌め込まれた前記抜止クリップとを有していることを特徴とする水栓の取付構造。
【発明の詳細な説明】
【０００１】
【発明の属する技術分野】
この発明は水栓の取付構造に関し、詳しくは被取付体から横向きに突き出す状態で水栓のケースを取付固定する構造に関する。
【０００２】
【従来の技術】
従来、被取付体から横向きに突き出す状態で水栓のケースを取付固定することが行われている。図１３はその取付構造の従来の例を示している。
【０００３】
図１３において、２００は被取付体（ここでは縦の取付壁）２０２の前面に配置された筒状の台座部材であって、被取付体２０２の裏面に配置されたホルダ２０４にねじ式の締結部２０６にて締結され、その締結力に基づいてホルダ２０４とともに被取付体２０２を内外両側から挟み込む状態に被取付体２０２に固定されている。
【０００４】
２０８は吐止水弁を内蔵し、またその吐止水弁を操作するハンドル２１０及び吐水口２１２の設けられた水栓のケースで、その基端部が上記台座部材２００を介して被取付体２０２に取付固定されている。
詳しくはこのケース２０８は、台座部材２００に対し外嵌された上、その台座部材２００の下面の雌ねじ孔２１４に、ケース２０８側の開口２１６を通じて下側からビス２１８をねじ込むことにより台座部材２００に、即ち被取付体２０２に固定されている。
尚、２２０は台座部材２００とケース２０８との嵌合部分を水密にシールするＯリングである。
【０００５】
【発明が解決しようとする課題】
しかしながらこの取付構造の場合、下側からビス２１８をねじ込んでケース２０８と台座部材２００との嵌合部分を固定する構造であるため、ケース２０８と台座部材２００との嵌合クリアランスに基づいて上側に隙間が生じてしまい、このためケース２０８を上から押えると、ねじ固定された部分だけでケース２０８を含む水栓を支持することとなるため、充分な固定強度が得られ難く、またガタツキを発生し易い問題があった。
【０００６】
【課題を解決するための手段】
本発明の水栓の取付構造はこのような課題を解決するために案出されたものである。
而して請求項１のものは、水栓のケースを被取付体に固定した筒状の台座部材に嵌合した状態で、該台座部材を介して該被取付体に固定する水栓の取付構造であって、前記台座部材における前記ケースとの嵌合部の上部を所定周長に亘り切り欠いて、該切欠部の両端面を軸方向に所定長さで延びる支持面となす一方、該ケースの内面には一対の該支持面に対応する位置において該支持面に当接し支持される被支持面を軸方向に延設し、且つ該台座部材に嵌合させた該ケースを軸方向に抜け止めする抜止手段を設けたことを特徴とする。
【０００７】
請求項２のものは、請求項１において、前記ケースが吐水口の設けてある吐水部のケースであることを特徴とする。
【０００８】
請求項３のものは、請求項２において、前記吐水部が人体検知センサの設けられた自動水栓の吐水部であることを特徴とする。
【０００９】
請求項４のものは、請求項１〜３の何れかにおいて、前記抜止手段が、前記台座部材の嵌合部の外周面に沿って周方向に形成された係合溝と、前記ケースの嵌合部に設けられた貫通の、抜止クリップの嵌込開口を兼ねた係合凹部と、該係合凹部を通じて且つ該係合凹部と前記係合溝とに跨って軸直角方向に弾性的に嵌め込まれた前記抜止クリップとを有していることを特徴とする。
【００１０】
【作用及び発明の効果】
上記のように本発明の水栓の取付構造は、台座部材の上部を切り欠いて両端面を軸方向に延びる一対の支持面となす一方、ケースの内面にはその支持面に当接する被支持面を設けて、それら一対の支持面により水栓のケースを支持するようになし、且つ抜止手段にてケースを台座部材から抜け止めしたもので、この水栓の取付構造によれば、図１３に示す従来の取付構造、即ち下側のビスによる固定部分だけでケースを支持する構造のものと異なって、軸方向に所定長さで延びる台座部材の支持面及びケースの被支持面の当接で軸方向所定長さに亘って支持するため、それら支持面と被支持面に沿って軸方向に支持力が分散することとなって強い支持強度、即ち固定強度が得られる。
またそれら支持面と被支持面との当接に基づいて台座部材周りのケースの回転も防止することができる。
【００１１】
本発明は、吐水口の設けてある吐水部のケースの取付けに適用して好適である（請求項２）。
吐水部のケースの場合、そこに通水管が接続されてその通水管を通じ吐水部に水が導かれるが、そのような通水管として可撓性のチューブを用いた場合、予め吐水部にチューブを接続した状態でこれを被取付体に取り付けると好適である。
【００１２】
この場合、予め吐水部に接続してある通水用のチューブを、筒状をなす台座部材に挿通する必要が生じるが、本発明ではその筒状をなす台座部材の上部が切り欠かれているため、通水用のチューブを台座部材に通すための開口部分が大きく広がっており、従ってその台座部材への通水用のチューブの挿通作業が極めて容易となり、ひいては吐水部の被取付体への取付作業が容易となる。
【００１３】
本発明は、特に人体検知センサの設けられた自動水栓の吐水部を取付壁に取り付けるに際し適用して好適である（請求項３）。
このような自動水栓の吐水部の場合、通水用のチューブに加えて人体検知センサからの信号を、別に離れた部位の制御部に接続するための電気配線が吐水部に接続されることとなり、この場合において台座部材に切欠部が設けてあることによって、その電気配線を通水用のチューブとともに容易に筒状をなす台座部材に挿通作業することができる。
【００１４】
本発明において上記抜止手段は、台座部材の外周面に沿って形成した係合溝と、ケースに設けた貫通の嵌込開口を兼ねた係合凹部と、その係合凹部と係合溝とに跨って軸直角方向に弾性的に嵌め込まれる抜止クリップとを含んで構成しておくことができる（請求項４）。
このようになした場合、単にケースと台座部材とを軸方向に嵌め合せた上、抜止クリップを差し込むだけで簡単に水栓のケースの取付作業を行うことができる。
【００１５】
【実施例】
次に本発明の実施例を図面に基づいて詳しく説明する。
図１及び図２において、１０はキャビネットで一対の側板１２，１２、天板１４，底板１６及び図２に示す取手１８を備えた前面の扉２０を備えており、それらの内部に収納空間２２が形成されている。
ここで底板１６は、室の床２４から所定距離上側の位置に設けられている。また天板１４の上面から上向きに立ち上がるようにしてパネル（被取付体としての縦の取付壁）２６が設けられている。
【００１６】
天板１４の上面にはまた、パネル２６の前部において手洗鉢２８が設置されている。この手洗鉢２８の底部の排水口からは排水管３０が下向きに延び出している。
【００１７】
図１及び図２において、３２は自動手洗水栓で、パネル２６に取り付けられた吐水部３４と、キャビネット１０内部において側板１２に取り付けられた本体部３６と、キャビネット１０の底板１６の下側に配設され、給水元管に接続された電磁弁３８とを有している。
【００１８】
本体部３６はボックス４０を有しており、図５に示すようにその内部に基板３９が収容されている。この基板３９上には商用電源を降圧して直流化する直流電源回路４３と、吐水部３４からの吐水と吐水停止，後述する発光部５４（図３，図４参照）における発光と発光停止等を制御する制御回路４５とが設けられている。
即ちこの本体部３６のボックス４０は、電源ボックスと制御ボックスとを兼ねたものとして構成されている。
尚、図５において４７は後述の電気配線４４，４６の接続部を覆蓋する蓋体である。
【００１９】
この本体部３６からは電源コード４１が延び出しており、その先端の差込プラグが図１に示しているように壁に設けられたコンセント４２に差込接続されている。
尚本例において、本体部３６のボックス４０内部に電池を収容し、これを電源として自動手洗水栓３２を作動させるようになすこともできる。
【００２０】
本体部３６からは、電気配線４４，４６が下向き及び上向きに延び出しており、それぞれが上記電磁弁３８及び吐水部３４に接続されている。
図１に示しているように、電磁弁３８からはまた可撓性チューブから成る給水管４８が上向きに延び出していてその先端部が吐水部３４に接続され、給水元管から給水された水が、この給水管４８を通じて吐水部３４へと導かれるようになっている。
【００２１】
図３及び図４に示しているように、吐水部３４はパネル２６から横向きに突き出しており、その前端近傍位置に吐水口５０が下向きに設けられている。
また吐水口５０の前部に、差し出された手や顔等を検知する人体検知センサ５２が設けられ、また吐水口５０の後部に、ＬＥＤにて構成した発光部５４が設けられている。発光部５４は、照射光が角度α（ここではα＝５０°）の広がりとなるように指向性が持たせてある。
【００２２】
ここで人体検知センサ５２は、差し出された手が吐水口５０の下方、厳密には吐水口５０からの吐水流に当る位置に到達する前に、手を検知できるようにその位置及び向きが定められている。
【００２３】
また発光部５４は、吐水口５０からの下向きの吐水流を後側から照射し、また照射された光の全体が図３中１点鎖線で示しているように手洗鉢２８内部に収まるように、その取付位置及び向きが定めてある。
【００２４】
この自動手洗水栓３２の場合、使用者が例えば手を洗うべく手洗鉢２８に手を差し出すと、人体検知センサ５２による検知に基づいて発光部５４の発光即ち照明が行われ、また吐水口５０からの吐水が行われる。
また手洗いを終えた後において手を引き戻すと、人体検知センサ５２による人体非検知に基づいて吐水口５０からの吐水停止、更にこれに遅れて発光部５４の発光停止、即ち照明停止が行われる。
【００２５】
この自動手洗水栓３２においては、発光部５４からの照明光により吐水流を後側から照らし出し、また併せて手洗鉢２８内面を明るく照らした状態の下で手洗いを行うことができる。
【００２６】
水栓使用者はその照明の下に吐水流を明確に視認でき、明るく照らし出された手洗鉢２８内部において、照明光の下に手洗い行為を行うことができる。このとき、手洗鉢２８内面に向けて発光部５４から照射された光によって手が明るく照らし出されるため、手の汚れの落ち具合も明確に分り、良好に手洗い行為を行うことができる。
【００２７】
図６に示しているように、上記吐水部３４は先端が閉鎖された形態の有底筒状のケース５６を有している。
ここでケース５６は、図７，図９及び図１０に示しているように上ケース６８と下ケース７０とに分割されており、その下ケース７０の下面に上記吐水口５０が設けられている。
【００２８】
図１０に示しているように、上ケース６８は下面側に開口７２を有している。
一方下ケース７０は略プレート状をなしていて平面形状が開口７２に対応した形状をなしており、かかる下ケース７０が上ケース６８の開口７２に嵌め合わされた状態で両者が上下に締結固定されている。
即ち下ケース７０には切欠形状の一対のねじ締結部７４が設けられる一方、上ケース６８には対応する位置において筒状のねじ締結部７６が設けられており、上ケース６８の開口７２に下ケース７０が嵌め合わされた状態で、それらねじ締結部７４，７６において上ケース６８と下ケース７０とがねじ７８により上下に締結固定されている。
【００２９】
上記吐水部３４のケース５６は、図中右側の開口側の端部が台座部材５８を介してパネル２６に取付固定されている。
図６，図７，図８（ア）及び図１２にそのケース５６のパネル２６への取付構造が具体的に示してある。
先ず図６及び図７において、台座部材５８は全体として筒状をなしていて中心部に軸方向の挿通孔１０２を有し、そこに上記の給水管４８及び電気配線４６が挿通されている。
【００３０】
この台座部材５８は、大径の着座部１０４と雄ねじ管６２とを有しており、その雄ねじ管６２がパネル２６を貫通して裏側に突き出している。
そしてそこに固定ナット６４がねじ込まれ、その固定ナット６４と着座部１０４とが、パネル２６をシール用の三角パッキン６６を介してパネル２６を内外両側から挟み込んでいる。
即ち着座部１０４と固定ナット６４とでパネル２６を三角パッキン６６を介し挟持する状態で、台座部材５８がパネル２６の前面（内面）に固定状態とされている。
【００３１】
図６，図７，図１２に示しているように台座部材５８はまた、吐水部３４のケース５６に対し内嵌状態に嵌合する嵌合部１０６を有している。
嵌合部１０６はその上部が所定周長に亘り切り欠かれており、その切欠部の両端面が軸方向に所定長さを有する支持面１０８とされている。ここで一対の支持面１０８は、図８（ア），（イ）にも示しているように斜めに傾斜した面とされている。
【００３２】
この嵌合部１０６には、その外周面に沿って周方向の係合溝１０９が設けられている。
尚この嵌合部１０６には、係合溝１０９よりも着座部１０４側の位置にシール用の弾性を有するＯリング１２２が装着されている。
【００３３】
一方ケース５６（具体的には上ケース６８）には、上記一対の支持面１０８に対応する位置において、ケース５６を部分的に内方に突出させて成る一対の突出部１１０が軸方向に所定長さで設けられており、それら突出部１１０の下面が、台座部材５８における嵌合部１０６の一対の支持面１０８のそれぞれに当接する被支持面１１２とされている。
これら一対の被支持面１１２もまた、支持面１０８の傾斜角度に対応した角度の傾斜面とされている。
【００３４】
このケース５６（上ケース６８）には、台座部材５８の上記係合溝１０９に対応する軸方向位置において、後述する抜止クリップ６０の嵌込開口を兼ねた貫通の係合凹部１１４が設けられている。
抜止クリップ６０は、一対の弾性脚１１８とそれらを連結する連結部１２０とを有しており、全体として略Ｕ字状をなしている。
【００３５】
本例において、吐水部３４をパネル２６に取付固定するには、予め吐水部３４に給水管４８及び電気配線４６を接続しておき、そしてそれらを台座部材５８の挿通孔１０２に挿通した上で、吐水部３４のケース５６の開口側の軸方向端部を台座部材５８の嵌合部１０６に対し外嵌状態に嵌合させる。
【００３６】
このときケース５６は、台座部材５８の嵌合部１０６に装着されたＯリング１２２により水密にシールされるとともに、軸方向に延びる一対の被支持面１１２において、台座部材５８側の一対の支持面１０８により所定軸方向長に亘り下側から支持された状態となる。
そこで抜止クリップ６０をケース５６の下面側の係合凹所１１４を通じて下側から嵌め込む。
【００３７】
すると図８（ア）に示しているように、抜止クリップ６０の一対の弾性脚１１８が台座部材５８における嵌合部１０６の係合溝１０９に係合し、また連結部１２０がケース５６側の係合凹部１１４に係合した状態となり、ここにおいてケース５６が台座部材５８から軸方向に抜止めされる。
即ち吐水部３４が台座部材５８を介しパネル２６に取付固定された状態となる。
【００３８】
図１１にも示しているように、下ケース７０には上面と下面とが開口形状をなす筒状の嵌込部８０が一体に形成されており、そこに人体検知センサ５２が上から下向きに嵌め込まれている。尚嵌め込まれた人体検知センサ５２は、嵌込部８０の下面の開口部で外部に露出した状態にある。
【００３９】
この人体検知センサ５２の上端部には、外向きに環状に突き出した鍔部８２が設けられており、その鍔部８２の下面の被当接面８４が筒状の嵌込部８０の上面の当接面８６に当接し、それら被当接面８４と当接面８６との当接作用によって、人体検知センサ５２の嵌込部８０への嵌込量が規定されている。
【００４０】
一方図８（ウ）及び図１０に示しているように、上ケース６８には人体検知センサ５２に対応する位置において、その上側に段付形状の押え部８８が一体に形成してあり、その押え部８８が人体検知センサ５２を下向きに押え付けている。
即ちこの例において人体検知センサ５２は、下ケース７０の嵌込部８０に嵌め込まれた状態で、下ケース７０と上ケース６８とによって上下から挟持されることで吐水部３４に固定状態とされている。
【００４１】
下ケース７０にはまた、図１０及び図１１に示しているように外周縁で開口する切欠形状の嵌込部９０が設けられており、そこにＬＥＤにて構成した発光部５４が横向きに、詳しくは後方から前方に向けて嵌め込まれている。
【００４２】
図１１に示しているように、嵌込部９０には下ケース７０の裏側、即ち上側において一対のアーム９２と、当接部９４と、被係止部９６とが設けられている。
他方発光部５４には、頭部９７から上側に離れた位置において被当接部１００と、先端に係止爪を有するばねクリップ９８とが設けられている。
【００４３】
而して発光部５４を切欠形状の嵌込部９０に横向きに嵌め込むと、このとき一対のアーム９２が発光部５４における頭部９７と被当接部１００，ばねクリップ９８との間に入り込み、また一方発光部５４における被当接部１００が、嵌込部９０の当接部９４に当接して横方向の嵌込量が規定される一方、ばねクリップ９８の先端の係止爪が、嵌込部９０側の被係止部９６に係止した状態となり（図１１（Ａ）参照）、ここにおいて発光部５４が上下方向に拘束された状態となる。またばねクリップ９８の弾性係止力に基づいて抜止め状態に仮固定される。
【００４４】
而してこの状態で下ケース７０と上ケース６８とを嵌め合せると、ここにおいて切欠形状の嵌込部９０の開口が、上ケース６８の開口７２縁部で閉じられた状態となって、ここに発光部５４が完全に嵌込部９０から横方向に抜止め状態となる。
【００４５】
以上のような本例の取付構造では、軸方向に所定長さで延びる台座部材５８の支持面１０８及び上ケース６８の被支持面１１２の当接に基づいて、ケース５６を所定軸方向長に亘って支持する。
従ってそれら支持面１０８及び被支持面１１２に沿って軸方向に支持力が分散することとなり、強い支持強度、即ち固定強度が得られる。
またそれら支持面１０８と被支持面１１２との当接に基づいて、台座部材５８周りのケース５６の回転も防止することができる。
【００４６】
また本例において台座部材５８には切欠部が設けてあって、給水管４８及び電気配線４６を通すための開口部分が大きく広がっており、従ってそれらを容易に挿通作業でき、ひいては吐水部３４をパネル２６に容易に取付作業できる。
【００４７】
また本例においては、単にケース５６と台座部材５８とを軸方向に嵌め合せた上、その係合凹部１１４と係合溝１０９とに跨って抜止クリップ６０を差し込むだけで、簡単に自動手洗水栓３２のケース５６の取付作業を行うことができる。
【００４８】
以上本発明の実施例を詳述したが、これはあくまで一例示である。
例えば上例では抜止クリップ６０にてケース５６を台座部材５８から軸方向に抜止めしているが他の抜止手段によってこれをなすことも可能である。
例えば台座部材５８における嵌合部１０６の下面にピン孔を設けておき、対応する位置においてケース５６の下面に設けたねじ孔に雄ねじを有する抜止ピンをねじ込んで、その先端を台座部材５８のピン孔に係合させ、或いは逆に台座部材５８の側にねじ孔を設けてそこに抜止ピンのねじをねじ込み、そしてその下端側の部分をケース５６の下面に設けたピン孔に係合させるなどして、ケース５６の台座部材５８からの抜止めをなすことも可能である。
【００４９】
また上例は自動水栓における吐水部を縦の取付壁に取付固定する場合の例であるが、本発明は図１３に示す水栓のケースを縦の取付壁に取り付けるに際して、或いはその他の形態の水栓ケースを縦の取付壁に取り付けるに際し、またカウンターや吐水管基部等を被取付体として取り付けるに際して適用することも可能であるなど、本発明はその主旨を逸脱しない範囲において種々変更を加えた形態で構成可能である。
【図面の簡単な説明】
【図１】  本発明の一実施例である自動手洗水栓を手洗鉢及びキャビネットとともに示す正面断面図である。
【図２】  同実施例の自動手洗水栓を手洗鉢及びキャビネットとともに示す側面断面図である。
【図３】  同実施例の吐水部とその周辺部を示す図である。
【図４】  同実施例の吐水部の底面図である。
【図５】  同実施例の自動手洗水栓の本体部を拡大して示す図である。
【図６】  同実施例の吐水部の内部構造を取付構造とともに示す縦断面図である。
【図７】  図６の各部材を分解して示す図である。
【図８】  図６におけるアーア断面図，イーイ断面図及びウーウ断面図である。
【図９】  図６の吐水部を斜め下方から見た斜視図である。
【図１０】  図９に示す各部材を分解して示す斜視図である。
【図１１】  図１０に示す人体検知センサと発光部の取付構造を示す斜視図である。
【図１２】  同実施例の吐水部の取付構造を示す斜視図である。
【図１３】  従来の水栓の取付構造の例を示す図である。
【符号の説明】
２６  パネル（被取付体）
３２  自動手洗水栓
３４  吐水部
５０  吐水口
５２  人体検知センサ
５６  ケース
５８  台座部材
６０  抜止クリップ
１０６  嵌合部
１０８  支持面
１０９  係合溝
１１２  被支持面
１１４  係合凹部
【図１】
0003908582.tif 000002
【図２】
0003908582.tif 000003
【図３】
0003908582.tif 000004
【図４】
0003908582.tif 000005
【図５】
0003908582.tif 000006
【図６】
0003908582.tif 000007
【図７】
0003908582.tif 000008
【図８】
0003908582.tif 000009
【図９】
0003908582.tif 000010
【図１０】
0003908582.tif 000011
【図１１】
0003908582.tif 000012
【図１２】
0003908582.tif 000013
【図１３】
0003908582.tif 000014